【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】  記憶媒体が挿入されると共に、挿入された記憶媒体の先端側に設けられた接点と接続される接続端子が設けられたホルダと、
上記ホルダに設けられると共に上記ホルダが移動可能に支持されるシャーシにロックされ、上記ホルダの上記シャーシに対する移動を規制すると共に、上記ホルダに挿入される記憶媒体の接点が上記ホルダの接続端子に接続されるとき、上記記憶媒体に押圧されることにより上記シャーシに対するロックを解除するロック機構と、
上記ロック機構による上記シャーシに対するロックが解除されて移動される上記ホルダに係合し、上記ホルダと一体に上記記憶媒体の挿入方向に移動される揺動レバーと、
上記記憶媒体の挿入方向とは逆方向のイジェクト方向に上記揺動レバーを付勢する第１の付勢手段と、
上記ホルダを上記記憶媒体の挿入方向に付勢する第２の付勢手段とを備え、
上記揺動レバーが上記ホルダと一体に上記記憶媒体の挿入方向に移動されることにより上記第１の付勢手段に上記揺動レバーを上記イジェクト方向に移動させる付勢力を蓄積させると共に、上記揺動レバーの上記記憶媒体の挿入方向への移動によって上記ホルダへの係合が解除され且つ上記シャーシへの係合により、上記記憶媒体が挿入されるホルダのみが上記第２の付勢手段により上記記憶媒体の挿入方向に引き込まれる記憶媒体のローディング装置。
【請求項２】  上記揺動レバーは、上記第１の付勢手段によって上記ホルダに対する係合が解除される方向に回動付勢されている請求項１に記載のローディング装置。
【請求項３】  上記揺動レバーは、上記ホルダと一体に上記記憶媒体の挿入方向に移動されるとき、上記ホルダを移動可能に支持するシャーシ側に設けられた回動規制手段によって上記ホルダに対する係合の解除が規制されている請求項２記載のローディング装置。
【請求項４】  上記ロック機構は、上記シャーシに係合するロック片と上記ホルダに挿入される記憶媒体によって押圧操作される押圧操作部を有し、上記ホルダに回動可能に支持されると共に、付勢部材により上記ロック片を上記シャーシに係合させる方向に回動付勢されたロックレバーを備える請求項１記載のローディング装置。
【請求項５】  上記シャーシには、上記ホルダに挿入される記憶媒体が挿脱される記憶媒体挿脱口を開閉する蓋体が回動可能に取り付けられ、上記蓋体は、付勢手段によって上記記憶媒体挿脱口を常時閉塞する方向に回動付勢されている請求項１記載のローディング装置。
【請求項６】  上記シャーシには、上記ホルダに挿入される記憶媒体が挿脱される記憶媒体挿脱口を開閉する蓋体が回動可能に取り付けられ、上記蓋体は、付勢手段によって上記記憶媒体挿脱口を常時閉塞する方向に回動付勢されている請求項１記載のローディング装置。
【請求項７】  記憶媒体がホルダ内に挿入されるステップと、
上記記憶媒体の接点と上記ホルダ内の接続端子とが電気的に接続されるステップと、
上記ホルダをシャーシにロックするロック手段を上記記憶媒体により押圧することにより上記ロック手段によるロックを解除するステップと、
上記記憶媒体と共に上記ホルダが更に上記挿入方向に移動されるステップと、
上記ホルダと係合されることにより上記ホルダと一体で上記挿入方向に移動されるレバーが上記シャーシに係合されると共に上記ホルダとの係合が解除されるステップと、
上記レバーが上記ホルダとの係合が解除される上記挿入方向に移動される間に上記挿入方向に対向するイジェクト方向への付勢力を第１の付勢手段に蓄積するステップと、
上記レバーによる係合が解除された上記ホルダのみが第２の付勢手段により上記記憶媒体と共に上記挿入方向に引き込まれるステップとを備えるローディング方法。
【請求項８】  記憶媒体が挿入されると共に、挿入された記憶媒体の先端側に設けられた接点と接続される接続端子が設けられたホルダと、
上記ホルダに設けられると共に上記ホルダが移動可能に支持されるシャーシにロックされ、上記ホルダの上記シャーシに対する移動を規制すると共に、上記ホルダに挿入される記憶媒体の接点が上記ホルダの接続端子に接続されるとき、上記記憶媒体に押圧されることにより上記シャーシに対するロックを解除するロック機構と、
上記ロック機構による上記シャーシに対するロックが解除されて移動される上記ホルダに係合し、上記ホルダと一体に上記記憶媒体の挿入方向に移動される揺動レバーと、
上記記憶媒体の挿入方向とは逆方向のイジェクト方向に上記揺動レバーを付勢する第１の付勢手段と、
上記ホルダを上記記憶媒体の挿入方向に付勢する第２の付勢手段と、
上記第２の付勢部材により上記記憶媒体の挿入方向に移動された上記ホルダを上記第２の付勢部材の付勢力に抗して上記イジェクト方向に移動操作させるイジェクト操作手段とを備え、
上記揺動レバーが上記ホルダと一体に上記記憶媒体の挿入方向に移動されることにより上記第１の付勢手段に上記揺動レバーを上記イジェクト方向に移動させる付勢力を蓄積させると共に、上記揺動レバーの上記記憶媒体の挿入方向への移動によって上記ホルダへの係合が解除され且つ上記シャーシへの係合により、上記記憶媒体が挿入されるホルダのみが上記第２の付勢手段により上記記憶媒体の挿入方向に引き込まれて記憶媒体のローディング位置に保持され、
上記イジェクト操作手段を介して上記ホルダを上記第２の付勢手段の付勢力に抗して上記イジェクト方向に移動させることにより、上記揺動レバーの上記シャーシへの係合を解除させ、上記第１の付勢手段の付勢力を受けて上記揺動レバーと一体に上記ホルダを上記イジェクト方向に移動させて上記ホルダを初期位置に移動させてなる記憶媒体の搬送装置。
【請求項９】  上記ホルダのロック機構は、上記シャーシに係合するロック片と上記ホルダに挿入される記憶媒体によって押圧操作される押圧操作部を有し、上記ホルダに回動可能に支持されると共に、付勢部材により上記ロック片を上記シャーシに係合させる方向に回動付勢されたロックレバーを備える請求項６記載の記憶媒体の搬送装置。
【請求項１０】  上記イジェクト操作手段は、上記ホルダと一体に移動するイジェクト操作片を備えている請求項８記載の記憶媒体の搬送装置。
【請求項１１】  記憶媒体がホルダ内に挿入されるステップと、
上記記憶媒体の接点と上記ホルダ内の接続端子とが電気的に接続されるステップと、
上記ホルダをシャーシにロックするロック手段を上記記憶媒体により押圧することにより上記ロック手段によるロックを解除するステップと、
上記記憶媒体と共に上記ホルダが更に上記挿入方向に移動されるステップと、
上記ホルダと係合されることにより上記ホルダと一体で上記挿入方向に移動されるレバーが上記シャーシに係合されると共に上記ホルダとの係合が解除されるステップと、
上記レバーが上記ホルダとの係合が解除される上記挿入方向に移動される間に上記挿入方向に対向するイジェクト方向への付勢力を第１の付勢手段に蓄積するステップと、
上記レバーによる係合が解除された上記ホルダのみが第２の付勢手段により上記記憶媒体と共に上記挿入方向に引き込みローディング位置に保持するステップと、
上記ローディング位置に保持された上記ホルダを上記第２の付勢手段の付勢力に抗して上記イジェクト方向に移動させることにより、上記揺動レバーの上記シャーシへの係合を解除させ、上記第１の付勢手段の付勢力を受けて上記揺動レバーと一体に上記ホルダを上記イジェクト方向に移動させて上記ホルダを初期位置に移動させるステップとを備える記憶媒体の搬送方法。
【請求項１２】  記憶媒体が挿脱可能に装着され、上記記憶媒体に対しデータの記録及び／又は再生を行う記録及び／又は再生手段を内蔵した装置本体と、
上記装置本体に装着される記憶媒体が挿入されると共に、挿入された記憶媒体の先端側に設けられた接点と接続される接続端子が設けられたホルダと、
上記ホルダに設けられると共に上記ホルダが移動可能に支持される上記装置本体内に配設されたシャーシにロックされ、上記ホルダの上記シャーシに対する移動を規制すると共に、上記ホルダに挿入される記憶媒体の接点が上記ホルダの接続端子に接続されるとき、上記記憶媒体に押圧されることにより上記シャーシに対するロックを解除するロック機構と、
上記ロック機構による上記シャーシに対するロックが解除されて移動される上記ホルダに係合し、上記ホルダと一体に上記記憶媒体の挿入方向に移動される揺動レバーと、
上記記憶媒体の挿入方向とは逆方向のイジェクト方向に上記揺動レバーを付勢する第１の付勢手段と、
上記ホルダを上記記憶媒体の挿入方向に付勢する第２の付勢手段とを備え、
上記揺動レバーが上記ホルダと一体に上記記憶媒体の挿入方向に移動されることにより上記第１の付勢手段に上記揺動レバーを上記イジェクト方向に移動させる付勢力を蓄積させると共に、上記揺動レバーの上記記憶媒体の挿入方向への移動によって上記ホルダへの係合が解除され且つ上記シャーシへの係合により、上記記憶媒体が挿入されるホルダのみが上記第２の付勢手段により上記記憶媒体の挿入方向に引き込まれて記憶媒体の装着位置にローディングされる記録及び／又は再生装置。
【請求項１３】  上記装置は、上記第２の付勢部材により上記記憶媒体の挿入方向に移動された上記ホルダを上記第２の付勢部材の付勢力に抗して上記イジェクト方向に移動操作させるイジェクト操作手段とを備え、
上記イジェクト操作手段を介して上記ホルダを上記第２の付勢手段の付勢力に抗して上記イジェクト方向に移動させることにより、上記揺動レバーの上記シャーシへの係合を解除させ、上記第１の付勢手段の付勢力を受けて上記揺動レバーと一体に上記ホルダを上記イジェクト方向に移動させて上記ホルダを初期位置に移動させてなる請求項１２記載の記録及び／又は再生装置。
【請求項１４】  上記シャーシには、上記ホルダに挿入される記憶媒体が挿脱される上記装置本体に設けた記憶媒体挿脱口を開閉する蓋体が回動可能に取り付けられ、上記蓋体は、付勢手段によって上記記憶媒体挿脱口を常時閉塞する方向に回動付勢されている請求項１２記載の記録及び／又は再生装置。